(57)【要約】【課題】  ダウンロード途中に移動体端末を電源ＯＦＦする場合や、ダウンロードエリア圏外へ移動する場合でも、ダウンロードを完了させるようにした移動体端末ダウンロード方法を得る。【解決手段】  制御端末１及び制御装置２は、移動局４に、基地局３を介してダウンロード中を示す報知情報を送信すると共に、ダウンロード開始要求を送信し、この後に、移動局４にダウンロードデータを複数回送信するようにし、移動局４では、報知情報及びダウンロード開始要求を受信して、ダウンロード開始要求受信済み情報を不揮発性メモリに記憶した後、ダウンロードデータを受信して不揮発性メモリに記憶すると共に、移動局４が、電源ＯＦＦなどにより受信不可状態になってから受信可能状態に復帰したとき、報知情報とダウンロード開始要求受信済み情報とを確認して、ダウンロードデータの受信を再開するようにした。【選択図】図１
2006165766.tif 000002
【特許請求の範囲】
【請求項１】
制御装置から移動体端末に基地局を介してダウンロードを行う移動体端末ダウンロード
方法において、上記制御装置側の手順として、上記移動体端末に、ダウンロード中を示す
報知情報を継続して送信する第一の手順、上記移動体端末に、上記ダウンロードの開始を
伝えるダウンロード開始要求を送信する第二の手順、及びこの第二の手順の後に、上記移
動体端末にダウンロードデータを複数回送信する第三の手順を含み、
上記移動体端末側の手順として、上記第一の手順により送信された報知情報及び上記第二
の手順により送信されたダウンロード開始要求を受信して、ダウンロード開始要求受信済
み情報を記憶部に記憶する第四の手順、上記報知情報と上記記憶部に記憶された上記ダウ
ンロード開始要求受信済み情報とを確認した後、上記第三の手順により送信されるダウン
ロードデータを受信し、この受信したダウンロードデータを上記記憶部に記憶する第五の
手順、上記移動体端末が、上記ダウンロードデータの受信中に受信不可状態になり、この
受信不可状態から受信可能状態に復帰したとき、上記報知情報と上記記憶部に記憶された
上記ダウンロード開始要求受信済み情報とを確認した後、上記ダウンロードデータの受信
を再開する第六の手順、及び上記ダウンロードデータの受信が終了したとき、上記制御装
置にダウンロード終了通知を送信する第七の手順を含むことを特徴とする移動体端末ダウ
ンロード方法。
【請求項２】
上記第二の手順は、上記移動体端末に、上記ダウンロードの開始を伝えるダウンロード
開始要求を定期的に送信すると共に、上記第三の手順は、上記第二の手順により初回のダ
ウンロード開始要求を送信した後に、上記移動体端末にダウンロードデータを複数回送信
することを特徴とする請求項１記載の移動体端末ダウンロード方法。
【請求項３】
上記第一の手順の報知情報及び上記第二の手順のダウンロード開始要求には、ダウンロ
ードデータのバージョン情報が含まれ、上記第六の手順は、上記報知情報に含まれるダウ
ンロードデータのバージョン情報と上記ダウンロード開始要求に含まれるダウンロードデ
ータのバージョン情報との一致を確認した後、上記ダウンロードデータの受信を再開する
ことを特徴とする請求項１または請求項２記載の移動体端末ダウンロード方法。
【請求項４】
上記制御装置側の手順として、上記第七の手順が終了した後、ダウンロードが終了した
ダウンロードデータの更新バージョンを示す報知情報を継続して送信する第八の手順を含
み、上記移動体端末側の手順として、上記第八の手順により送信されたダウンロードデー
タの更新バージョンと、上記第二の手順のダウンロード開始要求に含まれるバージョン情
報とが一致したとき、上記ダウンロードが終了したダウンロードデータへの更新を実行す
る第九の手順を含むことを特徴とする請求項３記載の移動体端末ダウンロード方法。
【請求項５】
上記第一の手順の報知情報には、ダウンロードを行う移動体端末情報が含まれると共に、
上記報知情報に含まれる移動体端末情報に該当する移動体端末が、上記第五の手順〜第七
の手順を実行することを特徴とする請求項１〜請求項４のいずれかに記載の移動体端末ダ
ウンロード方法。
【発明の詳細な説明】
【技術分野】
【０００１】
この発明は、移動体端末にプログラムやデータをダウンロードする移動体端末ダウンロ
ード方法に関するものである。
【背景技術】
【０００２】
従来の移動体端末におけるダウンロード機能においては、移動体端末の保守やバージョ
ンアップ等のために制御装置から無線回線を用いて、遠隔よりダウンロードを実施してい
る。その実現方法は、例えば特許文献１のように、報知情報でダウンロード開始を複数の
移動体端末に通知し、その後にダウンロードデータを送信することにより実現している。
【０００３】
【特許文献１】特開２００３−１８６６７９号公報（第３〜７頁、図１）
【発明の開示】
【発明が解決しようとする課題】
【０００４】
従来の移動体端末におけるダウンロード機能は、以上のように構成されているので、複
数の移動体端末に対してダウンロードを実施することはできるが、ダウンロード中は、必
ず移動体端末をダウンロードエリア（ダウンロードデータを送信している基地局配下）に
置く必要がある。
ダウンロード途中に移動体端末のユーザが、移動体端末を電源ＯＦＦした場合や、ダウ
ンロードエリアの圏外へ移動した場合には、ダウンロードが失敗し、再度最初からダウン
ロードを実施することが必要になる。このため、ダウンロードを必ず成功させるためには、ユーザから移動体端末を一旦回収する等、ユーザへのサービス提供に影響を与えるなどの問題があった。
【０００５】
また、ダウンロード実施後にダウンロードしたデータへの更新が必要なため、移動体端
末へリセットを行うが、移動体端末にてダウンロード終了後に自動的にリセットを行うと、強制的にリセットされることになり、ユーザに影響を与えてしまう。
さらに、制御装置からダウンロードデータへのバージョン更新要求メッセージを通知し
てリセットを行う手段もあるが、この場合には、電源ＯＦＦや圏外への移動等にてバージ
ョン更新要求メッセージを受信できなかった移動体端末は、リセットできないという問題
があり、結果的に全ての移動体端末にダウンロードするためには、一旦回収する等する必
要があり、ユーザへのサービス提供に影響を与えるなどの問題点があった。
【０００６】
この発明は、上記のような課題を解決するためになされたものであり、ダウンロード途
中に移動体端末が受信不可状態になった場合にも、ダウンロードを完了させるようにした
移動体端末ダウンロード方法を得ることを目的にしている。
【課題を解決するための手段】
【０００７】
この発明に係わる移動体端末ダウンロード方法においては、制御装置から移動体端末に
基地局を介してダウンロードを行う移動体端末ダウンロード方法において、制御装置側の
手順として、移動体端末に、ダウンロード中を示す報知情報を継続して送信する第一の手
順、移動体端末に、ダウンロードの開始を伝えるダウンロード開始要求を送信する第二の
手順、及びこの第二の手順の後に、移動体端末にダウンロードデータを複数回送信する第
三の手順を含み、
移動体端末側の手順として、第一の手順により送信された報知情報及び第二の手順により
送信されたダウンロード開始要求を受信して、ダウンロード開始要求受信済み情報を記憶
部に記憶する第四の手順、報知情報と記憶部に記憶されたダウンロード開始要求受信済み
情報とを確認した後、第三の手順により送信されるダウンロードデータを受信し、この受
信したダウンロードデータを記憶部に記憶する第五の手順、移動体端末が、ダウンロード
データの受信中に受信不可状態になり、この受信不可状態から受信可能状態に復帰したと
き、報知情報と記憶部に記憶されたダウンロード開始要求受信済み情報とを確認した後、
ダウンロードデータの受信を再開する第六の手順、及びダウンロードデータの受信が終了
したとき、制御装置にダウンロード終了通知を送信する第七の手順を含むものである。
【発明の効果】
【０００８】
この発明は、以上説明したように、制御装置から移動体端末に基地局を介してダウンロ
ードを行う移動体端末ダウンロード方法において、制御装置側の手順として、移動体端末
に、ダウンロード中を示す報知情報を継続して送信する第一の手順、移動体端末に、ダウ
ンロードの開始を伝えるダウンロード開始要求を送信する第二の手順、及びこの第二の手
順の後に、移動体端末にダウンロードデータを複数回送信する第三の手順を含み、
移動体端末側の手順として、第一の手順により送信された報知情報及び第二の手順により
送信されたダウンロード開始要求を受信して、ダウンロード開始要求受信済み情報を記憶
部に記憶する第四の手順、報知情報と記憶部に記憶されたダウンロード開始要求受信済み
情報とを確認した後、第三の手順により送信されるダウンロードデータを受信し、この受
信したダウンロードデータを記憶部に記憶する第五の手順、移動体端末が、ダウンロード
データの受信中に受信不可状態になり、この受信不可状態から受信可能状態に復帰したと
き、報知情報と記憶部に記憶されたダウンロード開始要求受信済み情報とを確認した後、
ダウンロードデータの受信を再開する第六の手順、及びダウンロードデータの受信が終了
したとき、制御装置にダウンロード終了通知を送信する第七の手順を含むので、移動体端
末を電源ＯＦＦした場合や、ダウンロードエリア圏外へ移動した場合でも、ダウンロード
継続可能となり、保守者・ユーザの両方にとって利便性に優れたダウンロード方法が得ら
れる効果がある。
【発明を実施するための最良の形態】
【０００９】
実施の形態１．
以下、この発明の実施の形態１について説明する。
図１は、この発明の実施の形態１による移動体端末ダウンロード方法を示す説明図であ
る。
図１において、制御端末１は、制御装置２に接続され、移動局４ａ、４ｂ、４ｃにダウ
ンロードを実行する場合の制御を行う。基地局３ａ、３ｂは、制御装置２に接続され、制
御装置２からの指示に応じて、移動局４ａ、４ｂ、４ｃとの間で無線回線を用いて、ダウ
ンロードデータや報知情報等の通信を行う。エリア５ａ、５ｂは、基地局３ａ、３ｂから
無線通信の届く範囲を表し、例えば図１では、移動局４ａ、４ｂ、４ｃへのダウンロード
をエリア５ａの配下にて実施している。
図２は、この発明の実施の形態１による移動体端末ダウンロード方法を示すシーケンス
図である。
【００１０】
次に、実施の形態１の動作について図２を用いて説明する。
図２において、制御端末１と制御装置２は、ダウンロードを開始する場合、報知情報１
０ａ（報知チャネル）を用いてダウンロード中であることを継続して報知する（第一の手
順）と共に、報知情報１０ａとは別のチャネルを用いてダウンロード開始要求１１を移動
局４ａ、４ｂ、４ｃ（移動体端末）に通知し（第二の手順）、その後ダウンロードデータ
の送信を開始する。さらに制御端末１と制御装置２は、ダウンロードデータを複数回、送
信１２ａ、１２ｂ、１２ｃする（第三の手順）。
このとき、ダウンロード開始要求１１には、ダウンロードデータの総ブロック数が含ま
れると共に、ダウンロードデータには、ブロック番号（図中の１／ｎ、２／ｎ、ｎ／ｎな
ど）が含まれている。
移動局４ａ、４ｂ、４ｃは、制御装置２から継続して送信される報知情報がダウンロー
ド中を示し、かつダウンロード開始要求１１を受信した場合のみ、以降のダウンロードデ
ータの受信を開始する。この時、移動局４ａ、４ｂ、４ｃは、ダウンロード開始要求１１
を受信済みであること（ダウンロード開始要求受信済み情報）を内部の不揮発性メモリ（記憶部）に格納しておく（第四の手順）。また、ダウンロードデータについても受信する度に不揮発性メモリに格納していき、全てのダウンロードデータを受信するまで格納し続ける（第五の手順）。
【００１１】
正常ケースとして移動局４ａは、エリア５ａの配下に存在しているので、ダウンロード
データを全て受信することができ、全ダウンロードデータを受信したことを認識し、ダウ
ンロ−ド終了２０となり、制御装置２にダウンロード終了通知を送信する。
次に、移動局４ｂは、ダウンロードデータ受信の途中で、電源ＯＦＦ２１ａされ、一旦
ダウンロードは中断する。その後、電源ＯＮ２１ｂされた時、報知情報がダウンロード中
であり、かつダウンロード開始要求１１を受信済みであることを認識し、ダウンロードデ
ータの受信を再開する。これにより全ダウンロードデータを受信する（第六の手順）こと
が可能となり、各ダウンロードデータのブロック番号と総ブロック数の情報から全ダウン
ロードデータの受信を認識した後、ダウンロード終了２１ｃとなり、制御装置２にダウン
ロード終了通知を送信する（第七の手順）。
次に、移動局４ｃは、ダウンロードデータ受信の途中で、エリア５ｂに移動（エリア５
ａの圏外に移動）２２ａしたことにより、ダウンロードデータが受信できなくなり、一旦
ダウンロードを中断する。その後、エリア５ａの圏内に進入２２ｂしてきた時、報知情報
がダウンロード中であり、かつダウンロード開始要求１１を受信済みであることを認識し、ダウンロードデータの受信を再開する（第六の手順）。これにより全ダウンロードデータを受信することが可能となり、ダウンロード終了２２ｃとなり、制御装置２にダウンロード終了通知を送信する（第七の手順）。
【００１２】
以上は、電源ＯＦＦや圏外への移動について、説明したが、このダウンロード方式は、
ダウンロード途中の通話に対しても、適用可能であり、通話終了後に報知情報がダウンロ
ード中であり、かつダウンロード開始要求が受信済みであることを判断することにより、
ダウンロードデータの受信を再開できる。
【００１３】
実施の形態１によれば、以上により、移動体端末においてユーザが通常行うことが予想
される電源ＯＦＦや圏外への移動、あるいは通話中などの場合に、ダウンロードを継続し
て実行できるため、保守者は、ユーザから一旦移動体端末を回収する手間を省くことがで
き、さらにユーザも移動体端末を回収されることによるサービスの中断がないので、保守
者とユーザの両方にとって利便性に優れたダウンロード機能を実現する。
【００１４】
実施の形態２．
以下、実施の形態１にさらに利便性を良くした実施の形態２について説明する。
図３は、この発明の実施の形態２による移動体端末ダウンロード方法を示す説明図であ
る。
図３において、制御端末１は、制御装置２に接続され、移動局４ａ、４ｄ、４ｅにダウ
ンロードを実行する場合の制御を行う。基地局３ａ、３ｂは、制御装置２に接続され、移
動局４ａ、４ｄ、４ｅとの間で無線回線を用いて、ダウンロードデータや報知情報等の通
信を行う。エリア５ａ、５ｂは、それぞれ基地局３ａ、３ｂからの無線通信の届く範囲を
表し、例えば図３では移動局４ａ、４ｄ、４ｅへのダウンロードをエリア５ａの配下にて
実施している。
図４は、この発明の実施の形態２による移動体端末ダウンロード方法を示すシーケンス
図である。
【００１５】
次に、実施の形態２の動作について図４を用いて説明する。
実施の形態１においては、制御端末１と制御装置２は、ダウンロードを開始する場合、
報知情報１０ａを用いてダウンロード中であることを継続して報知すると共に、ダウンロ
ード開始要求１１を移動局４ａ、４ｂ、４ｃに通知し、その後ダウンロードデータの送信
を開始するが、実施の形態２では、ダウンロード開始要求１１を一定周期で定期的に通知
（図４の１１ａ〜１１ｈ）するようにする。
【００１６】
正常ケースとして移動局４ａは、実施の形態１と同様にダウンロ−ド終了３０となり、
制御装置２にダウンロード終了通知を送信する。
次に、移動局４ｄは、ダウンロード開始時点では、電源ＯＦＦ３１ａされ、エリア５ａ
には存在していない。そのため、ダウンロード開始要求１１ａを受信していないが、電源
ＯＮ３１ｂされた時、報知情報がダウンロード中であり、かつダウンロード開始要求１１
ｅを受信することにより、ダウンロードデータの受信を開始することが可能となり、全ダ
ウンロードデータの受信を認識した後、ダウンロード終了３１ｃとなり、制御装置２にダ
ウンロード終了通知を送信する。
次に、移動局４ｅは、ダウンロード開始時点では、エリア５ａに存在３２ａしていない
。そのため、ダウンロード開始要求１１ａを受信していないが、エリア５ａに進入３２ｂ
してきた時、報知情報がダウンロード中であり、かつダウンロード開始要求１１ｅを受信
することにより、ダウンロードデータの受信を開始することが可能となり、各ダウンロー
ドデータのブロック番号と総ブロック数の情報から、全ダウンロードデータの受信を認識
した後、ダウンロード終了３２ｃとなり、制御装置２にダウンロード終了通知を送信する
。
【００１７】
実施の形態２によれば、以上により、ダウンロード開始時点で、必ず移動体端末がダウ
ンロードを実施するエリア５ａの配下に存在している必要はなく、移動体端末がエリア５
ａの圏内に入ってきた時点で、自動的にダウンロードが実施可能となるため、実施の形態
１よりさらに利便性に優れたダウンロード機能を実現することができる。
【００１８】
実施の形態３．
図５は、この発明の実施の形態３による移動体端末ダウンロード方法を示すシーケンス
図である。
実施の形態３は、実施の形態１及び実施の形態２にさらに利便性を良くしたもので、図
５により動作を説明する。
【００１９】
図５において、制御端末１と制御装置２がダウンロードを開始する場合、報知情報１０
ａを用いてダウンロード中であることと、ダウンロードデータのバージョンも合わせて継
続的に報知するようにする。また、ダウンロード開始要求１１にもダウンロードデータの
バージョンを載せて通知することにより、移動局４ａ、４ｂ、４ｃは、ダウンロード開始
要求１１を受信済みであることと合わせて、ダウンロードバージョンも内部の不揮発性メ
モリに格納しておく。
移動局４ａ、４ｂ、４ｃは、電源ＯＮやエリア５ａに侵入時にダウンロードを再開する
場合、報知情報１０ａで報知されているダウンロードデータのバージョンと、内部の不揮
発性メモリに格納しているバージョンを比較し、一致した場合のみダウンロードデータの
受信を再開するようにする。
【００２０】
実施の形態３によれば、これにより、電源ＯＮやエリア５ａの侵入時にダウンロードを
再開する場合、以前に受信していたダウンロードデータと異なるバージョンのダウンロー
ドデータを受信することを防ぐことが可能となる。
これは、例えば長期に渡り電源ＯＦＦされた場合や、エリア５ａの圏外に移動したまま
となった場合に効果がある。
【００２１】
実施の形態４．
図６は、この発明の実施の形態４による移動体端末ダウンロード方法を示すシーケンス
図である。
実施の形態４は、実施の形態１及び実施の形態２にさらに利便性を良くしたものであり
、動作について図６を用いて説明する。
【００２２】
図６において、制御端末１と制御装置２が、ダウンロードを開始する場合、報知情報１
０ａを用いてダウンロード中であることと、ダウンロードデータのバージョン、さらに移
動局を識別するための移動局番号も合わせて継続的に報知するようにする。
【００２３】
実施の形態４によれば、これにより、実施の形態１および実施の形態２において、特定
の移動局にのみダウンロード可能となる。
【００２４】
実施の形態５．
図７は、この発明の実施の形態５による移動体端末ダウンロード方法を示すシーケンス
図である。
実施の形態５は、実施の形態１及び実施の形態２をさらに利便性を良くしたものであり
、図７を用いて動作について説明する。
【００２５】
図７において、ダウンロード開始要求１１にもダウンロードデータのバージョンを載せ
て通知することにより、移動局４ａ、４ｂ、４ｃは、ダウンロード開始要求１１を受信済
みであることと合わせて、ダウンロードバージョンも内部の不揮発性メモリに格納してお
く。
ダウンロード終了後の新しいダウンロードデータへの更新（リセット）を移動局が行う
ために、制御装置２は、報知情報１０ｂを用いて更新バージョンを継続的に報知する（第
八の手順）ようにする。
移動局４ｂ、４ｃは、ダウンロード終了４１ａ、４２ａした後、ただちにダウンロード
データの更新（リセット）を実施せず、電源ＯＮ４１ｃ時や、エリア５ｂへの進入４２ｃ
時に、報知情報１０ｂで報知されている更新バージョンと内部の不揮発性メモリに格納し
ているダウンロードデータのバージョンを比較し、一致した場合のみダウンロードデータ
の更新（リセット）を実施する（第九の手順）。
【００２６】
実施の形態５によれば、これにより、移動体端末にてダウンロード終了を認識した後、
強制的にリセットしてユーザへ影響を与えてしまうことを防ぐことができる。
さらに、制御装置からダウンロードデータへのバージョン更新要求メッセージを通知し
てリセットを行う従来の手段の場合に、電源ＯＦＦや圏外への移動等にてバージョン更新
要求メッセージを受信できなかった移動体端末は、リセットできないといった問題も、全
エリアの報知情報で更新バージョンを報知しておくことにより、漏れなくダウンロードデ
ータへの更新を実施することが可能となる。
【産業上の利用可能性】
【００２７】
この発明は、携帯電話等の移動体端末を用いた無線通信システムに利用することができ
る。
【図面の簡単な説明】
【００２８】
【図１】この発明の実施の形態１による移動体端末ダウンロード方法を示す説明図である。
【図２】この発明の実施の形態１による移動体端末ダウンロード方法を示すシーケンス図である。
【図３】この発明の実施の形態２による移動体端末ダウンロード方法を示す説明図である。
【図４】この発明の実施の形態２による移動体端末ダウンロード方法を示すシーケンス図である。
【図５】この発明の実施の形態３による移動体端末ダウンロード方法を示すシーケンス図である。
【図６】この発明の実施の形態４による移動体端末ダウンロード方法を示すシーケンス図である。
【図７】この発明の実施の形態５による移動体端末ダウンロード方法を示すシーケンス図である。
【符号の説明】
【００２９】
１  制御端末、２  制御装置、３  基地局、４  移動局、
５  エリア、１０報知情報、１１  ダウンロード開始要求、
１２  ダウンロードデータ送信、１３  ダウンロード終了通知、
２０  図２のシーケンスにおける移動局４ａの動作、
２１  図２のシーケンスにおける移動局４ｂの動作、
２２  図２のシーケンスにおける移動局４ｃの動作、
３０  図４のシーケンスにおける移動局４ａの動作、
３１  図４のシーケンスにおける移動局４ｄの動作、
３２  図４のシーケンスにおける移動局４ｅの動作、
４０  図７のシーケンスにおける移動局４ａの動作、
４１  図７のシーケンスにおける移動局４ｂの動作、
４２  図７のシーケンスにおける移動局４ｃの動作。
【図１】
2006165766.tif 000003
【図２】
2006165766.tif 000004
【図３】
2006165766.tif 000005
【図４】
2006165766.tif 000006
【図５】
2006165766.tif 000007
【図６】
2006165766.tif 000008
【図７】
2006165766.tif 000009